【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
第1のサブスクリプションと第2のサブスクリプションとの間の共在事象を回避するためにマルチ加入者識別モジュール(SIM)モバイル通信デバイス上で実施される方法であって、
前記第1のサブスクリプションに利用可能な周波数のリスト中の周波数帯域が、前記第2のサブスクリプションによって使用される周波数帯域へ及ぼす干渉量を決定するステップと、
前記第2のサブスクリプションによって使用される周波数帯域への干渉が高まる順に周波数帯域の前記リストを順序付けするステップと、
前記順序付けされたリスト中の周波数帯域の電力測定を順番に行うステップと、
周波数帯域に対する電力測定値が最小電力しきい値以上であるかどうかを決定するステップと、
周波数帯域に対する電力測定値が前記最小電力しきい値以上であるとの決定に応じて、
前記順序付けされたリスト中の残りの周波数帯域のさらなる電力測定を一時停止し、
前記最小電力しきい値以上である前記電力測定値を前記第1のサブスクリプションのネットワークに報告するステップと
を含む、方法。
【請求項２】
前記第1のサブスクリプションに利用可能な周波数帯のリスト中の周波数帯域が前記第2のサブスクリプションによって使用される周波数帯域へ及ぼす干渉量を決定するステップが、周波数帯域の前記リスト中の各周波数帯域が前記第2のサブスクリプションによって使用される周波数帯域へ及ぼす共在干渉量を決定するステップを含む、請求項1に記載の方法。
【請求項３】
最大干渉しきい値に等しいか、またはそれを超える共在干渉量によって、前記第1のサブスクリプションに利用可能な周波数帯域の前記リストにおいて、前記第2のサブスクリプションによって使用される周波数帯域に干渉する周波数帯域(「干渉周波数帯域」)を識別するステップをさらに含む、請求項1に記載の方法。
【請求項４】
前記第1のサブスクリプションに利用可能な周波数帯域の前記リストにおいて、前記第2のサブスクリプションによって使用される周波数帯域に干渉しない周波数帯域(「非干渉周波数帯域」)を識別するステップ
をさらに含み、
前記第2のサブスクリプションによって使用される周波数帯域への干渉が高まる順に周波数帯域の前記リストを順序付けするステップが、非干渉周波数帯域が干渉周波数帯域の前に順序付けされるように、周波数帯域の前記リストを順序付けするステップを含む、請求項3に記載の方法。
【請求項５】
前記第1のサブスクリプションの前記ネットワークから受信される命令に応じて、前記第1のサブスクリプションにおいて、前記最小電力しきい値以上である前記周波数帯域へのハンドオーバ動作を実行するステップをさらに含む、請求項1に記載の方法。
【請求項６】
前記第1のサブスクリプションの前記ネットワークから前記第1のサブスクリプションに利用可能な周波数帯域の前記リストを受信するステップをさらに含む、請求項1に記載の方法。
【請求項７】
前記第2のサブスクリプションによって使用される周波数帯域への干渉が高まる順に周波数帯域の前記リストを順序付けするステップが、周波数帯域の前記リストの順序付けされたインデックスを生成するステップを含む、請求項1に記載の方法。
【請求項８】
前記第2のサブスクリプションによって使用される周波数帯域への干渉が高まる順に周波数帯域の前記リストを順序付けするステップが、周波数帯域の前記リスト中のエントリにランキング値を追加するステップを含む、請求項1に記載の方法。
【請求項９】
前記第1のサブスクリプションと前記第2のサブスクリプションとの間の共在事象を監視するステップをさらに含み、共在事象が開始した、または開始するようにスケジュールされていると検出することに応じて、請求項1に記載の方法の動作が実行される、請求項1に記載の方法。
【請求項１０】
マルチサブスクリプションモバイル通信デバイスであって、
第1のワイヤレストランシーバと、
第2のワイヤレストランシーバと、
前記第1および第2のワイヤレストランシーバに結合され、
第1のサブスクリプションに利用可能な周波数のリスト中の周波数帯域が、第2のサブスクリプションによって使用される周波数帯域へ及ぼす干渉量を決定すること、
前記第2のサブスクリプションによって使用される周波数帯域への干渉が高まる順に周波数帯域の前記リストを順序付けすること、
前記順序付けされたリスト中の周波数帯域の電力測定を順番に行うこと、
周波数帯域に対する電力測定値が最小電力しきい値以上であるかどうかを決定すること、
周波数帯域に対する電力測定が前記最小電力しきい値以上であるとの決定に応じて、
前記順序付けされたリスト中の残りの周波数帯域のさらなる電力測定を一時停止し、
前記第1のワイヤレストランシーバと通信する第1のネットワークに前記最小電力しきい値以上である前記電力測定値を報告すること
を行うためのプロセッサ実行可能命令で構成されたプロセッサと
を含む、マルチサブスクリプションモバイル通信デバイス。
【請求項１１】
前記第1のサブスクリプションに利用可能な周波数帯域のリスト中の周波数帯が前記第2のサブスクリプションによって使用される周波数帯域へ及ぼす干渉量を、周波数帯域の前記リスト中の各周波数帯域が前記第2のサブスクリプションによって使用される周波数帯域へ及ぼす共在干渉量に基づいて決定するためのプロセッサ実行可能命令で前記プロセッサがさらに構成される、請求項10に記載のマルチサブスクリプションモバイル通信デバイス。
【請求項１２】
最大干渉しきい値に等しいか、またはそれを超える共在干渉量によって、前記第1のサブスクリプションに利用可能な周波数帯域の前記リストにおいて、前記第2のサブスクリプションによって使用される周波数帯域に干渉する周波数帯域(「干渉周波数帯域」)を識別するためのプロセッサ実行可能命令で前記プロセッサがさらに構成される、請求項10に記載のマルチサブスクリプションモバイル通信デバイス。
【請求項１３】
前記プロセッサが、
前記第1のサブスクリプションに利用可能な周波数帯域の前記リストにおいて、前記第2のサブスクリプションによって使用される周波数帯域に干渉しない周波数帯域(「非干渉周波数帯域」)を識別することと、
前記非干渉周波数帯域が干渉周波数帯域の前に順序付けされるように、前記第2のサブスクリプションによって使用される周波数帯域への干渉が高まる順に周波数帯域の前記リストを順序付けすることと
を行うためのプロセッサ実行可能命令でさらに構成される、請求項12に記載のマルチサブスクリプションモバイル通信デバイス。
【請求項１４】
第1のサブスクリプションと第2のサブスクリプションとの間の共在事象を回避するためにマルチ加入者識別モジュール(SIM)モバイル通信デバイス上で実施される方法であって、
前記第1のサブスクリプションに利用可能な周波数帯域のリストにおいて、前記第2のサブスクリプションによって使用される周波数帯域に干渉しない周波数帯域(「非干渉周波数帯域」)を識別するステップと、
非干渉周波数帯域の電力測定値が最小電力しきい値以上であるまで、非干渉周波数帯域の電力測定を行うステップと、
非干渉周波数帯域に対する電力測定値が前記最小電力しきい値以上であるとの決定に応じて、残りの非干渉周波数帯域のさらなる電力測定を一時停止するステップと、
前記最小電力しきい値以上である前記電力測定値を前記第1のサブスクリプションのネットワークに報告するステップと
を含む、方法。
【請求項１５】
非干渉周波数帯域が、前記第2のサブスクリプションの周波数帯域への共在干渉を示さない周波数帯域である、請求項14に記載の方法。